(57)【要約】【課題】組み付け作業性を向上させることが可能なコネクタを提供する。【解決手段】コネクタ１０は、相対スライド可能な端子支持体３０及び端子被覆体５０と、端子支持体３０に支持され、雄タブ２１を有する雄端子金具２０と、端子支持体３０及び端子被覆体５０を収容する収容部７１を有するとともに雄タブ２１を包囲するフード部７２を有するハウジング７０とを備える。端子被覆体５０は、雄タブ２１を覆う保護位置と、雄タブ２１を露出させる露出位置とに、相対スライド可能とされる。収容部７１には、端子被覆体５０を当て止めする当止部７５が設けられている。端子支持体３０は、端子被覆体５０が当止部７５に当て止めされた状態で、一定以上の力が加わったときに、端子被覆体５０が保護位置から露出位置に変位するように相対スライドする。【選択図】図２
2018152307.tif 000002
【特許請求の範囲】
【請求項１】
相対スライド可能な端子支持体及び端子被覆体と、
前記端子支持体に支持され、雄タブが突出する雄端子金具と、
前記端子支持体及び前記端子被覆体が収容される収容部を有するとともに、前記収容部に連設されて前記雄タブを包囲するフード部を有するハウジングとを備え、
前記端子被覆体は、前記雄タブを覆う保護位置と、前記雄タブを露出させる露出位置とに、前記相対スライド可能とされ、
前記収容部には、正規収容された前記端子被覆体を当て止めする当止部が設けられ、
前記端子支持体は、前記保護位置における前記端子被覆体が前記当止部に当て止めされた状態で、一定以上の力が加わったときに、前記端子被覆体が前記露出位置に変位するように前記相対スライドし、前記収容部に正規収容されて、前記雄タブを前記フード部内に位置させるように構成されていることを特徴とするコネクタ。
【請求項２】
前記端子支持体及び前記端子被覆体の一方に、撓み変形可能なセミロック部が設けられ、他方に、前記保護位置において前記セミロック部に弾性的に係止され、前記端子支持体に前記一定以上の力が加わらないときは、前記端子被覆体の前記露出位置への相対変位を規制する規制部が設けられている請求項１記載のコネクタ。
【請求項３】
前記収容部には、正規収容された前記端子支持体を抜け止め係止する撓み変形可能なランスが設けられている請求項１又は２記載のコネクタ。
【請求項４】
前記収容部には、前記端子支持体に前記抜け方向の力が加わったときに、前記端子被覆体に抜け方向で弾性的に当接して、前記端子被覆体を前記保護位置へと前記相対スライドさせ、さらに、前記保護位置に変位した前記端子被覆体の取り出しを許容する引掛部が設けられている請求項１ないし３のいずれか１項記載のコネクタ。
【発明の詳細な説明】
【技術分野】
【０００１】
本発明は、コネクタに関する。
【背景技術】
【０００２】
特許文献１には、互いに嵌合可能な雌型コネクタ及び雄型コネクタが開示されている。雄型コネクタは、雄端子が支持された端子支持体と、端子支持体を収容する本体とを備えている。雄端子は、前方に雄タブを突出させた形態とされ、コネクタ嵌合時に、雄タブが雌端子に受容されて電気的に接続されるようになっている。
【先行技術文献】
【特許文献】
【０００３】
【特許文献１】特開平０６−３３３６２９号公報
【発明の概要】
【発明が解決しようとする課題】
【０００４】
ところで、本体に端子支持体を収容する際に、雄タブが本体の外壁と干渉し、折損、破損するおそれがある。これに鑑み、端子支持体に、雄タブを覆うように保護部材を組み付け、保護部材によって雄タブを保護する構成にすることが考えられる。しかし、そのような構成にすると、本体に端子支持体を収容した後、雄タブを露出させるべく、治具などを用いて保護部材を端子支持体から取り外したりする作業を行わねばならず、作業工数が増え、作業性の悪化を招くという問題がある。
【０００５】
本発明は上記のような事情に基づいて完成されたものであって、組み付け作業性を向上させることが可能なコネクタを提供することを目的とする。
【課題を解決するための手段】
【０００６】
本発明のコネクタは、相対スライド可能な端子支持体及び端子被覆体と、前記端子支持体に支持され、雄タブを有する雄端子金具と、前記端子支持体及び前記端子被覆体が収容される収容部を有するとともに、前記収容部に連設されて前記雄タブを包囲するフード部を有するハウジングとを備え、前記端子被覆体は、前記雄タブを覆う保護位置と、前記雄タブを露出させる露出位置とに、前記相対スライド可能とされ、前記収容部には、正規収容された前記端子被覆体を当て止めする当止部が設けられ、前記端子支持体は、前記保護位置における前記端子被覆体が前記当止部に当て止めされた状態で、一定以上の力が加わったときに、前記端子被覆体が前記露出位置に変位するように前記相対スライドし、前記収容部に正規収容されて、前記雄タブを前記フード部内に位置させるように構成されているところに特徴を有する。
【発明の効果】
【０００７】
端子支持体及び端子被覆体が収容部に挿入され、保護位置における端子被覆体が当止部に当て止めされた状態で、端子支持体に一定以上の力が加えられると、端子支持体が相対スライドし、端子被覆体が露出位置に変位して、雄タブがフード部内に露出して配置されるため、雄タブが相手側の雌端子金具と電気的に接続可能な状態となる。
【０００８】
端子支持体及び端子被覆体が収容部に収容される前の状態では、雄タブが保護位置における端子被覆体により保護され、折損、破損されるのが回避される。
【０００９】
端子支持体及び端子被覆体が収容部に収容される作業に、端子支持体及び端子被覆体が相対スライドする動作が連動し、端子被覆体が露出位置へと自動的に変位することができるため、端子被覆体を露出位置に変位させるための特別な治具などが不要とされるとともに、作業工数も増えることがなく、組み付け作業性を向上させることができる。
【図面の簡単な説明】
【００１０】
【図１】本発明の実施例１に係るコネクタにおいて、ハウジングの収容部に端子支持体及び端子被覆体からなるユニットが挿入され、端子被覆体が保護位置に配置された状態を示す側面視方向の断面図である。
【図２】さらに、端子被覆体が露出位置に変位した状態を示す断面図である。
【図３】さらに、収容部からユニットを取り出す過程で、端子被覆体が保護位置に戻り変位した状態を示す断面図である。
【図４】収容部にユニットが正規収容された状態を示す正面図である。
【図５】端子被覆体が保護位置に配置されたユニットの平面図である。
【図６】端子被覆体が保護位置に配置されたユニットの側面図である。
【図７】端子被覆体が保護位置に配置されたユニットの底面図である。
【図８】端子被覆体が保護位置に配置されたユニットの斜視図である。
【図９】端子被覆体が露出位置に配置されたユニットの斜視図である。
【図１０】端子被覆体が露出位置に配置されたユニットの背面図である。
【図１１】端子支持体の斜視図である。
【図１２】端子被覆体の斜視図である。
【図１３】端子被覆体の平面図である。
【図１４】端子被覆体の底面図である。
【図１５】ハウジングの一部破断斜視図である。
【図１６】ハウジングの断面図である。
【発明を実施するための形態】
【００１１】
本発明の好ましい実施形態を以下に示す。
前記端子支持体及び前記端子被覆体の一方に、撓み変形可能なセミロック部が設けられ、他方に、前記保護位置において前記セミロック部に弾性的に係止され、前記端子支持体に前記一定以上の力が加わらないときは、前記端子被覆体の前記露出位置への相対変位を規制する規制部が設けられているとよい。これによれば、端子支持体及び端子被覆体が収容部に収容される前の状態で、端子被覆体が安易に露出位置に変位するのを防止することができる。
【００１２】
前記収容部には、正規収容された前記端子支持体を抜け止め係止する撓み変形可能なランスが設けられているとよい。これによれば、端子支持体が収容部から抜け出すのを防止することができる。また、ランスに係止される端子支持体には雄端子金具が支持されるため、雄端子金具に接続されたケーブルなどが引っ張られたときに、その引っ張り力に有効に抗することができる。
【００１３】
前記収容部には、前記端子支持体に前記抜け方向の力が加わったときに、前記端子被覆体に抜け方向で弾性的に当接して、前記端子被覆体を前記保護位置へと前記相対スライドさせ、さらに、前記保護位置に変位した前記端子被覆体の取り出しを許容する引掛部が設けられているとよい。これによれば、端子支持体及び端子被覆体をハウジングから取り出すときに、端子支持体に抜け方向の力が加わると、端子被覆体が引掛部に弾性的に当接して保護位置へと変位させられ、その状態で、ハウジングから端子支持体及び端子被覆体を取り出すことができる。このため、取り出された端子支持体及び端子被覆体に対し、端子被覆体を保護位置に変位させるためのスライド操作を別に行う必要がなく、作業性をより向上させることができる。
【００１４】
＜実施例１＞
以下、実施例１を図１〜図１６に基づいて説明する。本実施例１に係るコネクタ１０は、車載通信用のコネクタであって、図４に示すように、雄端子金具２０、端子支持体３０、端子被覆体５０及びハウジング７０を備えている。雄端子金具２０は、端子支持体３０に支持される。端子支持体３０及び端子被覆体５０は、前後方向に相対スライド可能に組み付けられる。組み付けられた端子支持体３０及び端子被覆体５０は、ハウジング７０に挿入され、前後方向に沿って収容される。以下、各部材の構造について具体的に説明する。
【００１５】
雄端子金具２０は導電性の金属材を曲げ加工などして一体に成形され、図５に示すように、筒状の本体部分から前方へ細長く突出する雄タブ２１を有し、本体部分の後方においてケーブル９０の端末部に接続される。ケーブル９０は、二本の電線９１を対で撚り合わせたツイストペア線として構成される。二本の電線９１は、被覆９２が除去される部分で撚り戻され、撚り戻された部分に雄端子金具２０が電気的及び機械的に接続されている。
【００１６】
続いて端子支持体３０及び端子被覆体５０について説明する。なお、説明中の上下方向は、端子支持体３０及び端子被覆体５０がハウジング７０に収容された図１〜図４の状態を基準とする。
【００１７】
端子支持体３０は合成樹脂製の誘電体であって、図１１に示すように、前後方向に長い矩形板状の支持本体３１を有している。図８に示すように、支持本体３１の上面の前部には、ハウジングロック部３２が突設され、ハウジングロック部３２の左右両側で且つ後方に一対の前進規制部３３が突設されている。
【００１８】
図１１に示すように、支持本体３１の下面には、左右両端部に一対のレール部３４が前後方向に延出して設けられ、左右中央部に仕切部３５が前後方向に延出して設けられている。端子支持体３０には、各レール部３４、仕切部３５及び支持本体３１の間に、左右一対の端子挿入空間３６が区画されている。端子支持体３０の各端子挿入空間３６には、それぞれ雄端子金具２０が挿入されて収容される。支持本体３１の下面には、各端子挿入空間３６に収容された雄端子金具２０を抜け止めする端子抜止部３７が突設され、さらに、各端子挿入空間３６に収容された雄端子金具２０の雄タブ２１を支持可能な支持片３８が突設されている。  
【００１９】
端子支持体３０には、支持本体３１及び各レール部３４の間で且つ仕切部３５の後方に、１つのケーブル端挿入空間３９が区画されている。ケーブル端挿入空間３９には、ケーブル９０の被覆９２の端部が収容される。各端子挿入空間３６はケーブル端挿入空間３９の直前方に位置しているため、ケーブル９０の被覆９２の端部から雄端子金具２０に接続されるまでの撚り戻し部分の長さが短くなり、通信性能の向上を図ることができるようになっている。なお、各端子挿入空間３６に挿入された雄端子金具２０は、端子支持体３０に固定され、端子支持体３０と一体に挙動するようになっている。
【００２０】
各レール部３４の下端前部には、矩形板状の一対の規制部４１が下方に突出して設けられている。さらに、各レール部３４の左右外面には断面凹状のガイド溝４２が前後方向に延出して設けられている。
【００２１】
端子被覆体５０は合成樹脂製の誘電体であって、図１２に示すように、前後方向に長い矩形板状の被覆本体５１を有している。図１０及び図１４に示すように、被覆本体５１の下面には、当接部５２が突設されている。当接部５２は、被覆本体５１の左右中央部において前後方向に長い角ブロック状をなし、後端角部に面取りが施されている。また、被覆本体５１の下面には、当接部５２の左右両側に一対の被引掛部５３が突設されている。各被引掛部５３は、当接部５２よりも一段低くなるようにして当接部５２の左右両端面に段付き状に連設されている。図６に示すように、被引掛部５３の前面は、後方へ向けて傾斜し、被引掛部５３の後面は、上下方向にほぼ切り立つように配置されている。
【００２２】
図１４に示すように、被覆本体５１の左右両端部には、一対の通し溝５４が開口して設けられている。各通し溝５４は、前後方向に細長く延出するスリット状に形成されている。各通し溝５４の左右外端は、被覆本体５１における一対のセミロック部５５によって区画されている。各セミロック部５５は、前後方向に細長く延出する両持ち梁状をなし、延出方向中央部に、通し溝５４の溝幅を狭めるようにせり出す干渉部５６を有している。各セミロック部５５は、後述するように、規制部４１が干渉部５６と干渉したときに、外側へ弓なりに撓み変形して、通し溝５４内における規制部４１の相対変位を許容するようになっている。
【００２３】
図１２及び図１３に示すように、被覆本体５１の上面には、左右両端部に一対の側壁部５７が前後方向に延出して設けられ、左右中央部に隔壁部５８が前後方向に延出して設けられ、且つ、前端部に、各側壁部５７及び隔壁部５８のそれぞれの前端に連なる前壁部５９が左右方向に延出して設けられている。
【００２４】
各側壁部５７は、各セミロック部５５と対応する部位が切り欠かれ、左右方向に関して各セミロック部５５より外側に位置している。各セミロック部５５は、各側壁部５７の外面より内側に控えた空間に撓み変形することが可能とされている。各側壁部５７の上端部には、ガイド部６４が内側に突出して設けられている。図１０に示すように、ガイド部６４は、ガイド溝４２に進入してガイド溝４２内を摺動可能とされ、端子支持体３０及び端子被覆体５０の相対スライドを可能ならしめる。
【００２５】
図１２に示すように、端子被覆体５０は、各側壁部５７、隔壁部５８、前壁部５９及び被覆本体５１の間に、左右一対の被覆空間６１が区画されている。各被覆空間６１には、それぞれ雄端子金具２０が被覆して配置される。前壁部５９には、雄端子金具２０の雄タブ２１が貫通する左右一対のタブ挿通口６２が開口して設けられている。各タブ挿通口６２には、上下方向に延出して前壁部５９の上端に開口するスリット溝６３が連通している。各スリット溝６３は、雄タブ２１が各タブ挿通口６２に導入される際の通路になるとともに、図４に示すように、内側に端子支持体３０の各支持片３８が進入するようになっている。
【００２６】
続いて、ハウジング７０について説明する。ハウジング７０は合成樹脂製であって、図１５及び図１６に示すように、全体として前後方向に貫通する筒状をなし、収容部７１と、収容部７１に連設されて前方に突出するフード部７２とを有している。
【００２７】
収容部７１は、前後方向に貫通する収容空間７３を有している。収容部７１の内壁上面（収容空間７３の内壁上面）には、撓み変形可能なランス７４が前方へ片持ち梁状に突出して設けられている。ランス７４の前端部は、下方へ突出する爪状の形態とされている。収容部７１の内壁下面には、左右中央部にて段差状の当止部７５が設けられ、当止部７５を挟んだ後方に前方より一段落ちた断面凹状の進入溝７６が設けられている。当止部７５は、上下方向に沿って切り立つ垂直壁面として構成される。
進入溝７６は、収容空間７３の内壁下面において前後方向に延出して収容部７１の後端に開口する形態とされ、内側に端子被覆体５０の当接部５２及び各被引掛部５３が進入可能とされている。
【００２８】
図１５に示すように、収容部７１の内壁下面には、進入溝７６の左右両側に、一対の引掛部７７が設けられている。各引掛部７７は、当止部７５から後方へ片持ち梁状に延出するアーム部７８と、アーム部７８の後端部（先端部、自由端部）から内側に突出して進入溝７６の溝幅を狭める矩形板状の引掛本体部７９と、アーム部７８の後端部からアーム部７８と同一幅で上側（収容空間７３側）に突出する山型状の抵抗部８１とからなる。アーム部７８は、当止部７５に連結される基端部位を略支点として撓み変形可能とされている。収容部７１の内壁上面のうち、当止部７５を挟んだ前方の領域には、各引掛本体部７９を成形する金型の通過に起因する一対の型抜き溝８２が前後方向に延出して設けられている。図１６に示すように、収容部７１の下面側には、図示しない車体側のブラケットに取り付けるための取付部８３が設けられている。
【００２９】
フード部７２は、収容部７１よりも前後長が短く且つ径方向に一回り大きくされ、前後方向に貫通して収容空間７３に連通する嵌合空間８４を有している。フード部７２の上壁内面の前端部には、爪状のロック部８５が下向きに突出して設けられている。フード部７２の嵌合空間８４には図示しない相手側の雌コネクタが嵌合され、雌コネクタに設けられた図示しないロックアームがロック部８５を弾性的に係止して、両コネクタが嵌合状態に保持されるようになっている。
【００３０】
次に、本実施例１のコネクタ１０の組み付け方法及び作用を説明する。
組み付けに際し、端子支持体３０の各端子挿入空間３６に雄端子金具２０が収容されて保持される。続いて、端子被覆体５０が端子支持体３０に被せ付けられる。端子被覆体５０の各側壁部５７のガイド部６４が端子支持体３０の各レール部３４のガイド溝４２に弾性的に進入することにより、端子支持体３０及び端子被覆体５０が離脱規制状態に保持される（図１０を参照）。また、端子支持体３０の各規制部４１が端子被覆体５０の各通し溝５４の後部に進入し、各規制部４１が各通し溝５４と各干渉部５６との間に前後方向に移動規制状態に配置される（図７を参照）。このとき、各雄端子金具２０の雄タブ２１は、端子支持体３０の前方に突出するが、その下方、両側方及び前方が端子被覆体５０における被覆本体５１、両側壁部５７及び前壁部５９によってそれぞれ覆われる（図８を参照）。かくして、端子被覆体５０は、端子支持体３０に対して雄タブ２１を保護する保護位置に留め置かれる。端子被覆体５０が保護位置にあるときには、各雄端子金具２０の雄タブ２１は外部異物から保護された状態に保たれる。
【００３１】
続いて、上記組み付けられた端子支持体３０及び端子被覆体５０（以下、ユニット１００という）がハウジング７０の収容部７１の収容空間７３に後方から挿入される。このとき、端子支持体３０から後方へ延出するケーブル９０を持ちながら、ユニット１００が収容空間７３に押し込まれる。各雄端子金具２０の雄タブ２１は保護位置の端子被覆体５０によって覆われた状態にあるため、各雄タブ２１にハウジング７０の壁面が直接干渉することがなく、各雄タブ２１が折損、破損するのが防止される。
【００３２】
図１に示すように、端子被覆体５０の当接部５２がハウジング７０の当止部７５に当接し、端子被覆体５０の前進が規制される位置に至ると、端子被覆体５０がハウジング７０の収容空間７３に前止め状態で正規挿入される。このときには、端子支持体３０の後端部はハウジング７０の後方に露出して配置される。また、端子支持体３０の各規制部４１が各引掛部７７の抵抗部８１に当接し、各引掛部７７が撓み変形させられる。
【００３３】
さらに、ケーブル９０の押し込みが継続され、その押し込み力が、各規制部４１と各干渉部５６との係止力を主とした、ユニット１００に作用する摩擦抵抗を上回る一定以上の力になると、端子支持体３０が端子被覆体５０に対して相対スライドし始める。端子支持体３０が相対スライドし始めると、各規制部４１が各抵抗部８１から離間して各引掛部７７の撓み状態が解消され、端子支持体３０のスライド速度が慣性によって加速する。また、端子支持体３０が相対スライドする過程では、各規制部４１が各通し溝５４の前部へ向けて変位し、各干渉部５６が各規制部４１により押圧されて、各セミロック部５５が弾性的に撓み変形させられる。
【００３４】
端子支持体３０がハウジング７０の収容空間７３に正規挿入される位置に至ると、各規制部４１が各通し溝５４の前部に移行し、各セミロック部５５が弾性復帰して、各規制部４１が各通し溝５４と各干渉部５６との間に前後方向に移動規制状態に配置される。これにより、端子支持体３０及び端子被覆体５０の相対スライドが規制され、ユニット１００全体が収容空間７３に挿入された状態になる（図２を参照）。また、各雄端子金具２０の雄タブ２１が各タブ挿通口６２からフード部７２内に突出して配置され、端子被覆体５０が端子支持体３０に対して雄タブ２１を露出させる露出位置に保持される。
【００３５】
さらに、端子支持体３０が相対スライドする過程で、端子支持体３０のハウジングロック部３２がランス７４を押圧して撓み変形させるが、端子支持体３０が収容空間７３に正規挿入されるに伴い、ランス７４が弾性復帰してハウジングロック部３２に後方から係止可能に配置される。これにより、端子支持体３０ひいてはユニット１００がハウジング７０の収容空間７３に抜け止め状態に収容される。また、端子支持体３０の各前進規制部３３が収容部７１に設けられた各ストッパ８６（図１６を参照）に当接することで、端子支持体３０のフード部７２側への進行が規制される。
【００３６】
その後、フード部７２の嵌合空間８４に図示しない相手側の雌コネクタが嵌合される。両コネクタが正規嵌合されると、フード部７２の嵌合空間８４に突出する雄タブ２１が図示しない相手側の雌端子金具の箱部に挿入され、両端子金具が電気的に接続される。
【００３７】
ところで、メンテナンスなどの事情により、上記ユニット１００を、ハウジング７０の収容空間７３から取り出す際には、図示しない治具などによってランス７４がハウジングロック部３２との係止を解除する方向に撓み変形させられ、その状態で、ケーブル９０が後方へと引っ張られる。すると、端子被覆体５０の各被引掛部５３が各引掛部７７の引掛本体部７９と干渉し、その干渉抵抗がケーブル９０の引っ張りによる各規制部４１と各干渉部５６との係止力を上回ることにより、各規制部４１と各干渉部５６との係止が解除され、各規制部４１が各通し溝５４の後部へ向けて相対変位する。こうしてケーブル９０を引っ張る過程で、端子支持体３０及び端子被覆体５０が相対スライドし、端子被覆体５０が露出位置から保護位置へと自動的に変位させられる。
【００３８】
さらに、ケーブル９０の引っ張り動作が継続されると、各引掛部７７が各被引掛部５３に押圧されて撓み変形させられ、収容空間７３における端子被覆体５０の後退変位が許容される（図３を参照）。その後、ユニット１００がハウジング７０から取り出されたときには、端子被覆体５０が保護位置にあることにより、各雄タブ２１が迅速に保護されることになる。
【００３９】
以上説明したように、本実施例１によれば、ユニット１００が収容部７１の収容空間７３に挿入され、保護位置における端子被覆体５０が当止部７５に当て止めされた状態で、端子支持体３０に一定以上の力が加えられると、端子支持体３０が相対スライドし、端子被覆体５０が露出位置に変位して、雄タブ２１がフード部７２の嵌合空間８４に露出して配置されるため、雄タブ２１が相手側の雌端子金具と電気的に接続可能な状態となる。ここで、ユニット１００が収容部７１に収容される前の状態では、雄タブ２１が保護位置における端子被覆体５０により保護されるため、折損、破損されるのが回避される。
【００４０】
上記のとおり、収容部７１に収容される作業に、端子支持体３０及び端子被覆体５０が相対スライドする動作が連動し、端子被覆体５０が露出位置へと自動的に変位することができるため、端子被覆体５０を露出位置に変位させるための特別な治具などが不要とされるとともに、作業工数も増えることがなく、組み付け作業性を向上させることができる。
【００４１】
また、端子被覆体５０に、撓み変形可能なセミロック部５５が設けられ、端子支持体３０に、保護位置においてセミロック部５５に弾性的に係止され、端子支持体３０に上記一定以上の力が加わらないときは、端子被覆体５０の露出位置への相対変位を規制する規制部４１が設けられているため、ユニット１００が収容部７１に収容される前の状態で、端子被覆体５０が安易に露出位置に変位するのを防止することができる。
【００４２】
また、ハウジング７０の収容部７１には、正規収容された端子支持体３０を抜け止め係止する撓み変形可能なランス７４が設けられているため、端子支持体３０が収容部７１から抜け出すのを防止することができる。特に、ランス７４に係止される端子支持体３０には雄端子金具２０が支持されるため、雄端子金具２０に接続されたケーブル９０などが引っ張られたときに、その引っ張り力に有効に抗することができる。
【００４３】
また、収容部７１には、端子支持体３０にこの端子支持体３０が後方へ抜け出るような抜け方向の力が加わったときに、端子被覆体５０に抜け方向で弾性的に当接して、端子被覆体５０を保護位置へと相対スライドさせ、さらに、保護位置に変位した端子被覆体５０の取り出しを許容する引掛部７７が設けられているため、ユニット１００をハウジング７０から取り出したときに、端子被覆体５０が保護位置に自動的に変位させられた状態になる。したがって、ユニット１００をハウジング７０から取り出した後、各雄タブ２１を保護するべく、端子被覆体５０を保護位置に戻す作業を別に行う必要がなく、作業性をより向上させることができる。
【００４４】
＜他の実施例＞
以下、他の実施例を簡単に説明する。
（１）上記実施例１では、ハウジングに対し、端子支持体が上側に、端子被覆体が下側に配置されていたが、それとは逆に、ハウジングに対し、端子支持体が下側に、端子被覆体が上側に配置されるものであってもよい。また、端子支持体及び端子被覆体がハウジングに対して左右両側に配置されるものであってもよい。
（２）上記実施例１では、セミロック部が端子被覆体に設けられ、規制部が端子支持体に設けられていたが、それとは逆に、セミロック部が端子支持体に設けられ、規制部が端子被覆体に設けられるものであってもよい。
（３）上記実施例１では、引掛部が収容部に撓み可能に設けられ、被引掛部が端子被覆体に固設されていたが、それとは逆に、引掛部が収容部に固設され、被引掛部が端子被覆体に撓み可能に設けられるものであってもよい。
（４）当止部が収容部の後面における収容空間の開口縁部に設けられ、端子被覆体の後端部が収容部の後面の開口縁部（当止部）に当て止めされる構成であってもよい。
（５）収容部に撓み変形可能に設けられるランスは、端子支持体と端子被覆体の少なくとも一方を抜け止め係止するものであればよく、必ずしも端子支持体を抜け止め係止する場合に限られない。
（６）端子支持体及び端子被覆体の間にはセミロック部などの特別なロック構造が設けられず、摩擦抵抗のみで双方の相対スライドが一時的に規制される構造になっていてもよい。
【符号の説明】
【００４５】
１０…コネクタ
２０…雄端子金具
２１…雄タブ
３０…端子支持体
４１…規制部
５０…端子被覆体
５５…セミロック部
７０…ハウジング
７１…収容部
７２…フード部
７４…ランス
７５…当止部
７７…引掛部
９０…ケーブル
【図１】
2018152307.tif 000003
【図２】
2018152307.tif 000004
【図３】
2018152307.tif 000005
【図４】
2018152307.tif 000006
【図５】
2018152307.tif 000007
【図６】
2018152307.tif 000008
【図７】
2018152307.tif 000009
【図８】
2018152307.tif 000010
【図９】
2018152307.tif 000011
【図１０】
2018152307.tif 000012
【図１１】
2018152307.tif 000013
【図１２】
2018152307.tif 000014
【図１３】
2018152307.tif 000015
【図１４】
2018152307.tif 000016
【図１５】
2018152307.tif 000017
【図１６】
2018152307.tif 000018